【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
（ａ）コンピュータ実装ユーザインタフェースを介して無線エネルギー伝送システムを構成するソース共振器及びデバイス共振器の１以上の属性を定義し格納するステップ、
（ｂ）前記ユーザインタフェースを介して前記ソース共振器と前記デバイス共振器との間の相互作用に関する情報を定義し格納するステップ、
（ｃ）前記ソース及びデバイス共振器の定義した１以上の属性に基づいて１以上のモデル化値を導出するために、１以上の電子プロセッサを用いて前記無線エネルギー伝送システムの電磁性能をモデル化するステップ、
（ｄ）前記１以上の電子プロセッサを用いて、前記導出した１以上のモデル化値に基づいてインピーダンス整合回路網の設計を生成するステップ、及び
（ｅ）前記１以上の電子プロセッサを用いて、前記無線エネルギー伝送システムの前記モデル化された電磁性能及び前記インピーダンス整合回路網の生成された設計に関する情報の可視表示を前記ユーザインタフェースを介して提供するステップ、
を備えるコンピュータ実装方法。
【請求項２】
前記ソース共振器の１以上の属性は、ソース共振器のワイヤタイプ、ソース共振器の長さ、ソース共振器の幅、ソース共振器コイルの巻き方向、ソース共振器コイルのターン数及びソース共振器コイルのターン間隔からなる群から選ばれる少なくとも１つのソース共振器パラメータを含み、
前記デバイス共振器の１以上の属性は、デバイス共振器のワイヤタイプ、デバイス共振器の長さ、デバイス共振器の幅、デバイス共振器コイルの巻き方向、デバイス共振器コイルのターン数及びデバイス共振器コイルのターン間隔からなる群から選ばれる少なくとも１つのデバイス共振器パラメータを含む、請求項１記載の方法。
【請求項３】
前記ソース共振器及び前記デバイス共振器の１以上の属性を定義し格納するステップは、前記１以上の電子プロセッサを用いて、前記定義した１以上の属性間の１以上の論理的または物理的不適合性を示す警告を前記ユーザインタフェースに供給するステップを含む、請求項１記載の方法。
【請求項４】
前記ソース共振器の１以上の属性を定義し格納するステップは、前記ユーザインタフェースを介して事前に定義したソース共振器を検索し、前記デバイス共振器の１以上の属性を定義し格納するステップは、前記ユーザインタフェースを介して事前に定義したデバイス共振器を検索するステップを含む、請求項１記載の方法。
【請求項５】
前記ソース共振器と前記デバイス共振器間との間の相互作用は、スィープパラメータ及びソース／デバイス共振器離間距離からなる群から選ばれる少なくとも１つのシステムパラメータを含む、請求項１記載の方法。
【請求項６】
（ｆ）前記インピーダンス整合回路網に少なくとも部分的に基づいて物理的システムを構築するステップ、
（ｇ）前記物理的システムの少なくとも１つの属性を測定するステップ、及び
（ｈ）前記ステップ（ｃ）を繰り返し、前記物理的システムの少なくとも１つの測定した属性を、前記システムの電磁性能をモデル化するために使用するステップ、
をさらに備える請求項１記載の方法。
【請求項７】
コンピュータ実装ユーザインタフェースを介して無線エネルギー伝送システムを構成するソース共振器及びデバイス共振器の１以上の属性を定義し格納するステップ、
前記ユーザインタフェースを介して前記ソース共振器と前記デバイス共振器との間の相互作用に関する情報を定義し格納するステップ、
前記ソース及びデバイス共振器の定義した１以上の属性に基づいて１以上のモデル化値を導出するために、前記無線エネルギー伝送システムの電磁性能をモデル化するステップ、
前記導出した１以上のモデル化値に基づいてインピーダンス整合回路網の設計を生成するステップ、及び
前記無線エネルギー伝送システムの前記モデル化された電磁性能及び前記インピーダンス整合回路網の生成された設計に関する情報の可視表示を前記ユーザインタフェースを介して提供するステップ、
をコンピュータに実行させる一連の命令を含む、非一時的なコンピュータ読み取り可能媒体。
【請求項８】
前記ソース共振器の１以上の属性は、ソース共振器のワイヤタイプ、ソース共振器の長さ、ソース共振器の幅、ソース共振器コイルの巻き方向、ソース共振器コイルのターン数及びソース共振器コイルのターン間隔からなる群から選ばれる少なくとも１つのソース共振器パラメータを含み、
前記デバイス共振器の１以上の属性は、デバイス共振器のワイヤタイプ、デバイス共振器の長さ、デバイス共振器の幅、デバイス共振器コイルの巻き方向、デバイス共振器コイルのターン数及びデバイス共振器コイルのターン間隔からなる群から選ばれる少なくとも１つのデバイス共振器パラメータを含む、
請求項７記載のコンピュータ読み取り可能媒体。
【請求項９】
前記ソース共振器及び前記デバイス共振器の１以上の属性を定義するステップは、前記定義した１以上の属性間の１以上の論理的または物理的不適合性を示す警告を供給するステップを含む、請求項７記載のコンピュータ読み取り可能媒体。
【請求項１０】
前記ソース共振器の１以上の属性を定義するステップは、事前に定義したソース共振器を検索するステップを含み、前記デバイス共振器の１以上の属性を定義し格納するステップは、事前に定義したデバイス共振器を検索するステップを含む、請求項７記載のコンピュータ読み取り可能媒体。
【請求項１１】
前記ソース共振器と前記デバイス共振器間との間の相互作用に関する情報を定義するステップは、スィープパラメータ及びソース／デバイス共振器離間離距離からなる群から選ばれる少なくとも１つのシステムパラメータを定義する、請求項７記載のコンピュータ読み取り可能媒体。
【請求項１２】
前記コンピュータに、前記インピーダンス整合回路網に少なくとも部分的に基づいて構築される物理的システムの少なくとも１つの測定属性を用いて前記無線エネルギー伝送システムの電磁性能をモデル化させる命令をさらに含む、請求項７記載のコンピュータ読み取り可能媒体。
【請求項１３】
前記インピーダンス整合回路網の設計を生成するステップは、前記無線エネルギー伝送システムの受信した公称整合値に基づいて行なわれる、請求項７記載のコンピュータ読み取り可能媒体。
【請求項１４】
前記可視表示は、前記生成されたインピーダンス整合回路網の設計に基づく前記無線エネルギー伝送システムの予測性能を表示する、請求項７記載のコンピュータ読み取り可能媒体。
【請求項１５】
前記予測性能は前記無線エネルギー伝送システム内の固定のインピーダンスに基づいている、請求項１４記載のコンピュータ読み取り可能媒体。
【請求項１６】
前記可視表示は、前記無線エネルギー伝送システムの異なる設定に依存する複数の曲線を含む、請求項７記載のコンピュータ読み取り可能媒体。
【請求項１７】
前記可視表示は、受信したスイープパラメータの値の範囲に亘る前記モデル化された電磁性能のプロットを含む、請求項７記載のコンピュータ読み取り可能媒体。
【請求項１８】
前記可視表示は、スミスチャートの表示を含む、請求項１４記載のコンピュータ読み取り可能媒体。
【請求項１９】
前記ユーザインタフェースはグラフィックユーザインタフェースである、請求項７記載のコンピュータ読み取り可能媒体。
【請求項２０】
前記ユーザインタフェースはコマンドラインを含む、請求項７記載のコンピュータ読み取り可能媒体。
【請求項２１】
命令を格納するように構成されたメモリ、及び
前記命令を実行するよう構成され、
ユーザインタフェースを介して無線エネルギー伝送システムを構成するソース共振器及びデバイス共振器の１以上の属性を定義するステップ、
前記ユーザインタフェースを介して前記ソース共振器と前記デバイス共振器との間の相互作用に関する情報を定義するステップ、
前記ソース及びデバイス共振器の定義した１以上の属性に基づいて１以上のモデル化値を導出するために、前記無線エネルギー伝送システムの電磁性能をモデル化するステップ、
前記導出した１以上のモデル化値に基づいてインピーダンス整合回路網の設計を生成するステップ、及び
前記無線エネルギー伝送システムの前記モデル化された電磁性能及び前記インピーダンス整合回路網の生成された設計に関する情報の可視表示を前記ユーザインタフェースを介して提供するステップ、
を実行するプロセッサを備え、
前記ユーザインタフェースは前記可視表示を表示するように構成されている、
コンピューティング装置。
【請求項２２】
前記プロセッサはさらに、前記インピーダンス整合回路網に少なくとも部分的に基づいて構築される物理的システムの少なくとも１つの測定属性を用いて前記無線エネルギー伝送システムの電磁性能をモデル化するように構成されている、請求項２１記載のコンピューティング装置。
【請求項２３】
前記ソース共振器及び前記デバイス共振器の１以上の属性を定義するステップは、前記定義した１以上の属性間の１以上の論理的または物理的不適合性を示す警告を供給するステップを含む、請求項２１記載のコンピューティング装置。
【請求項２４】
前記ソース共振器の１以上の属性を定義するステップは、事前に定義したソース共振器を検索するステップを含み、前記デバイス共振器の１以上の属性を定義し格納するステップは、事前に定義されたデバイス共振器を検索するステップを含む、請求項２１記載のコンピューティング装置。
【請求項２５】
前記可視表示は、前記生成されたインピーダンス整合回路網の設計に基づく前記無線エネルギー伝送システムの予測性能を表示する、請求項２１記載のコンピューティング装置。
【請求項２６】
前記可視表示は、前記無線エネルギー伝送システムの異なる設定に依存する複数の曲線を含む、請求項２１記載のコンピューティング装置。
【請求項２７】
前記可視表示は、受信したスイープパラメータの値の範囲に亘る前記モデル化された電磁性能のプロットを含む、請求項２１記載のコンピューティング装置。